(57)【要約】【課題】  止血部位を極点的にソフトタッチで押さえて止血効果を十分に高めることができたり、基材を皮膚の位置等に係わらず安定かつ確実に粘着できる止血用絆創膏を提供する。【解決手段】  基材の一方の面に設けられた粘着層と、基材の一方の面の略中心位置に固着され内部に無方向に弾性変形可能な気体、液体、ゲル状体からなる弾性体が収容された袋状部材と、基材の粘着層に剥離可能に貼り付けられた剥離材とを備え、基材は、その袋状部材が人体の止血部位に当接した状態で粘着層が人体の皮膚表面に粘着されると共に、伸縮性もしくは非伸縮性の押圧部材で皮膚方向に押圧されることを特徴とする。【選択図】  図１
2005246027.tif 000002
【特許請求の範囲】
【請求項１】
基材の一方の面に設けられた粘着層と、前記基材の一方の面の略中心位置に固着され内部に無方向に弾性変形可能な弾性体が収容された袋状部材と、前記基材の粘着層に剥離可能に貼り付けられた剥離材とを備え、
前記基材は、その袋状部材が人体の止血部位に当接した状態で粘着層が人体の皮膚表面に粘着されることを特徴とする止血用絆創膏。
【請求項２】
前記弾性体は、気体、液体、ゲル状体の少なくとも一つであることを特徴とする請求項１に記載の止血用絆創膏。
【請求項３】
前記基材は、粘着層が設けられた一方の面と反対側の他方の面に、基材の粘着層を皮膚に粘着させた際に前記袋状部材を皮膚方向に押圧し得る押圧部材が設けられていることを特徴とする請求項１または２に記載の止血用絆創膏。
【請求項４】
前記押圧部材は、伸縮性を有してその両端部が基材の他方の面に固着され、非使用時において基材の両端部を他方の面側に反らせることを特徴とする請求項３に記載の止血用絆創膏。
【請求項５】
前記押圧部材は、非伸縮性の薄板で形成されてその両端部が基材の他方の面に固着され、非使用時において基材を略平板状に維持することを特徴とする請求項３に記載の止血用絆創膏。
【請求項６】
前記薄板は、弾性を有する紙、プラスチック、金属箔のいずれか一つであることを特徴とする請求項５に記載の止血用絆創膏。
【請求項７】
前記袋状部材は、止血部位に当接する表面にガーゼが固着されていることを特徴とする請求項１ないし６のいずれかに記載の止血用絆創膏。
【請求項８】
前記袋状部材は、その外形形状が略円形に形成されていることを特徴とする請求項１ないし７のいずれかに記載の止血用絆創膏。
【発明の詳細な説明】
【技術分野】
【０００１】
本発明は、人工透析時等に腕の皮膚に形成される針刺孔を押さえて止血する際に使用される止血用絆創膏に関する。
【背景技術】
【０００２】
従来、医療分野において、人工透析、採血、点滴、輸血等で使用される止血用貼付材としては、例えば特許文献１に開示のものが提案されている。この止血用貼付材は、基材の一面に形成された粘着剤層の上に、所定大きさで所定厚さを有し適度の圧縮硬さを有するパッドを固着し、このパッドで血管穿刺孔と皮膚表面穿刺孔の双方を押圧して止血するようにしたものである。
【特許文献１】特開平５−２４５１７３号公報
【発明の開示】
【発明が解決しようとする課題】
【０００３】
しかしながら、この止血用貼付材にあっては、圧縮方向に適度の弾性を有する薄板状のパッドにより血管穿刺孔や皮膚穿刺孔（以下、止血部位という）を単に厚さ方向に押圧する構成であるため、止血部位の位置や表面形状に係わらず止血部位を極点的にソフトタッチで押さえることが難しく、十分な止血効果が得られ難い。その結果、例えば人工透析のように、血液の流れを促進させる薬剤を投入する場合等に、止血のための時間が掛かることになる。
【０００４】
また、止血用貼付材の基材が伸縮性を有するものの、単に薄いシート状に形成されて粘着剤層のみの粘着力によって止血部位近傍の皮膚に粘着されるため、例えば止血部位近傍の皮膚が汗等で濡れている場合等に、確実な粘着状態を止血が完了するまでの間維持することが困難で、止血用貼付材の粘着状態に注意を払う必要がある。これらのことから、止血のための患者等への負担が増加し易いという問題点を有している。
【０００５】
本発明は、このような事情に鑑みてなされたもので、その目的は、止血部位を極点的にソフトタッチで押さえて止血効果を十分に高めることが可能な止血用絆創膏を提供することにある。また、他の目的は、前記目的に加え、基材を皮膚の位置等に係わらず安定かつ確実に粘着できて、透析患者等への負担を軽減させることが可能な止血用絆創膏を提供することにある。
【課題を解決するための手段】
【０００６】
かかる目的を達成すべく、本発明のうち請求項１に記載の発明は、基材の一方の面に設けられた粘着層と、前記基材の一方の面の略中心位置に固着され内部に無方向に弾性変形可能な弾性体が収容された袋状部材と、前記基材の粘着層に剥離可能に貼り付けられた剥離材とを備え、前記基材は、その袋状部材が人体の止血部位に当接した状態で粘着層が人体の皮膚表面に粘着されることを特徴とする。
【０００７】
そして、前記弾性体は、請求項２に記載の発明のように、気体、液体、ゲル状体の少なくとも一つであることが好ましい。また、前記基材は、請求項３に記載の発明のように、粘着層が設けられた一方の面と反対側の他方の面に、基材の粘着層を皮膚に粘着させた際に前記袋状部材を皮膚方向に押圧し得る押圧部材が設けられていることが好ましく、この場合、前記押圧部材は、請求項４に記載の発明のように、伸縮性を有してその両端部が基材の他方の面に固着され、非使用時において基材の両端部を他方の面側に反らせることが好ましい。
【０００８】
また、前記押圧部材は、請求項５に記載の発明のように、非伸縮性の薄板で形成されてその両端部が基材の他方の面に固着され、非使用時において基材を略平板状に維持することが好ましく、この場合、前記薄板は、請求項６に記載の発明のように、弾性を有する紙、プラスチック、金属箔のいずれか一つであることが好ましい。
【０００９】
また、前記袋状部材は、請求項７に記載の発明のように、止血部位に当接する表面にガーゼが固着されていることが好ましく、また、請求項８に記載の発明のように、その外形形状が略円形に形成されていることが好ましい。
【発明の効果】
【００１０】
本発明の請求項１に記載の発明によれば、例えば伸縮性を有する基材の粘着層側の一方の面に固着され内部に弾性体が収容された袋状部材が、人体の止血部位に当接した状態で粘着層が人体の皮膚表面に粘着されるため、押圧方向以外の方向にも弾性変形可能な袋状部材により、止血部位を極点的にソフトタッチで押さえることができて短時間に止血できる等、止血効果を十分に高めることが可能となる。
【００１１】
また、請求項２に記載の発明によれば、請求項１に記載の発明の効果に加え、弾性体が気体、液体、ゲル状体の少なくとも一つであるため、弾性体により袋状部材を無方向に弾性変形させることができて、止血部位の形状等に係わらず良好な止血効果を容易に得ることができる。
【００１２】
また、請求項３に記載の発明によれば、請求項１または２に記載の発明の効果に加え、基材の粘着層を皮膚に粘着させた際に、袋状部材を皮膚方向に押圧し得る押圧部材が基材の他方の面に設けられているため、止血部位の状態に係わらず袋状部材を止血部位に確実かつ良好に押圧できると共に、粘着層（基材）の皮膚からの剥がれを抑えること等ができて、止血用絆創膏の安定した粘着状態と一層確実かつ良好な止血効果を得ることができる。
【００１３】
また、請求項４に記載の発明によれば、請求項３に記載の発明の効果に加え、押圧部材が伸縮性を有して基材の他方の面に固着され非使用時に基材の両端部が他方の面側に反った状態となっているため、基材を皮膚に粘着させた際に、伸びた状態の押圧部材の反力を利用して袋状部材や粘着層を皮膚に押圧できて、止血用絆創膏を皮膚に一層確実に粘着させて止血効果をより一層高めることができる。
【００１４】
また、請求項５に記載の発明によれば、請求項３に記載の発明の効果に加え、押圧部材が非伸縮性の薄板で形成されて非使用時において基材を略平板状に維持するため、非使用時の平坦形状により絆創膏の包装が簡単かつ効率的に行えると共に、使用時に両端が固着された薄板により袋状部材を止血部位に良好に押圧できて、止血用絆創膏の止血効果をより一層高めることができる。
【００１５】
また、請求項６に記載の発明によれば、請求項５に記載の発明の効果に加え、薄板として弾性を有する紙、プラスチック、金属箔が使用されるため、両端が固定された薄板の中央部分の弾性を利用して袋状部材を止血部位に一層良好に押圧することができると共に、市販されている各種薄板を使用できて安価な止血用絆創膏を得ることができる。
【００１６】
また、請求項７に記載の発明によれば、請求項１ないし６に記載の発明の効果に加え、袋状部材の止血部位に当接する表面にガーゼが固着されているため、ガーゼにより血液を吸収できて、衛生的な止血用絆創膏を得ることができる。
【００１７】
また、請求項８に記載の発明によれば、請求項１ないし７に記載の発明の効果に加え、袋状部材の外形形状が略円形に形成されているため、袋状部材により止血部位の周囲を確実に押圧できると共に無方向への変形が良好となって、止血効果をより一層高めることができる。
【発明を実施するための最良の形態】
【００１８】
以下、本発明を実施するための最良の形態を図面に基づいて詳細に説明する。
図１〜図５は、本発明に係わる止血用絆創膏の一実施形態を示し、図１がその一部破断した斜視図、図２が正面図、図３が裏面図、図４が平面図、図５が粘着状態の説明図である。
【００１９】
図１〜図４において、止血用絆創膏１（以下、絆創膏１という）は、薄い短尺シート状の基材２を有し、この基材２の一方の面である裏面２ｂには、所定の粘着剤を塗布すること等によって形成された粘着層３が設けられている。なお、基材２としては、布、プラスチック、紙、不織布等が使用されるが伸縮性を有するものの使用が好ましく、粘着層３としては、シリコン系、ゴム系、アクリル系、ビニル系等の人体の皮膚に対して悪影響のないものの使用が好ましい。
【００２０】
また、基材２の裏面２ｂの略中央位置には、血液吸収作用と押圧時の弾性作用を有する長方形状のガーゼ４が固着され、このガーゼ４の略中央部分に平面視で円形の袋状部材５が固着されている。この袋状部材５は、図２に拡大して示すように、ゴム系やビニル系の材質により固着部５ａと略ドーム形状の当接部５ｂを有する袋状に形成され、その内部に弾性体としての空気６が収容された、いわゆる風船形状に形成されている。
【００２１】
この風船形状によって、袋状部材５は基材２の厚さ方向は勿論のこと、固着部５ａを除く部分が厚さ方向の直交する半径略３６０度方向等のあらゆる方向（無方向という）に弾性変形可能となっている。なお、袋状部材５の外径は、例えば５ｍｍ〜１０ｍｍ程度でガーゼ４の幅より若干小さい寸法に設定されると共に、その固着部５ａが両面テープ、接着剤等の固着手段７によって、ガーゼ４の表面に固着されている。
【００２２】
また、基材２の粘着層３上には、その外形形状が基材２の外形形状と略同一形状を呈する２枚の剥離紙８ａ、８ｂが剥離可能に貼り付けられている。そして、後述するように、二枚の剥離紙８ａ、８ｂを粘着層３から剥離して粘着層３を人体の止血部位Ｓの皮膚９（図５参照）に粘着させることにより、絆創膏１が止血部位Ｓに粘着されるようになっている。
【００２３】
さらに、基材２の粘着層３が設けられる裏面２ｂと反対側の面となる表面２ａには、押圧部材１０の両端部が固着されている。この押圧部材１０は、ゴム系、ウレタン系等の伸縮性のある短尺シート状の不織布等が使用され、非使用時である初期段階において、押圧部材１０の引張力（収縮力）により基材２の長手方向両端部が表面２ａ側に反った弓形状を呈している。なお、押圧部材１０は、その長手方向の両端部に設けられた基材２の長手方向と直交する所定幅の直線状の固着部１０ａが、接着、縫い付け等の固着手段によって基材２に固着されている。
【００２４】
次に、この絆創膏１の使用方法の一例を図５等に基づいて説明する。先ず、絆創膏１は、非使用時に、押圧部材１０の引張力によって表面２ａ側に反った状態で、例えば図示しない包装紙等によって包装されることにより、止血部位Ｓに当接する袋状部材５等が殺菌等されてその清潔さが所定に維持されている。
【００２５】
そして、絆創膏１を例えば人工透析時に使用する場合は、絆創膏１を包装紙から取り出し、袋状部材５が図５に拡大して示す注射針の針刺孔１１に当接する状態で、一方の剥離紙８ａを剥離して露出した粘着層３を皮膚９に粘着させ、次に基材２を引っ張りながら他方の剥離紙８ｂを剥離しつつその下部の粘着層３を皮膚９に押圧させて粘着させる。この時、基材２は、図２に示す表面２ａ側に反った状態から、図５に示す裏面２ｂ側に反った状態に反り方向が反転し、この反りの反転により、押圧部材１０の引張力が表面２ａ側から裏面２ｂ側に作用して、基材２を図５の矢印イの如く皮膚９方向に押さえ付ける状態となる。
【００２６】
これにより、基材２に設けられた袋状部材５の円形の当接部５ｂが所定の押圧力で止血部位Ｓに極点的に当接すると共に、袋状部材５の内部の空気６により、袋状部材５が押圧方向は勿論のこと押圧方向と直交する半径略３６０度方向等の無方向に弾性変形し、ソフトタッチで止血部位Ｓに当接して、針刺孔１１からの出血が確実に防止（止血）されることになる。
【００２７】
このように、上記実施形態の絆創膏１にあっては、伸縮性の基材２の粘着層３側の裏面２ｂに固着され止血部位Ｓに当接する袋状部材５が、その内部に弾性体としての空気６が収容された風船形状に形成されているため、基材２の粘着層３を皮膚９に粘着させて袋状部材５を止血部位Ｓに押圧させた際に、袋状部材５が押圧方向以外は勿論のこと、押圧方向と直交する半径略３６０度方向等の無方向にも弾性変形し、袋状部材５により止血部位Ｓを極点的にソフトタッチで押さえることができて、止血を短時間に行うことができる。
【００２８】
特に、袋状部材５の当接部５ｂが円形に形成されて無方向に弾性変形することから、例えば人工透析の際に注射針が穿刺しされる腕の位置が透析患者によって異なる場合であっても、袋状部材５の当接部５ｂが皮膚９の形状に応じて弾性変形し、止血部位Ｓにおける止血を一層確実に行うことができる。その結果、止血効果を十分に高めることが可能になると共に、例えば人工透析時に血液の流れを促進する薬剤が投入される場合であっても、従来に比較して短時間に止血することができて、透析患者への負担を軽減させること等が可能となる。
【００２９】
また、基材２の表面２ａ側に伸縮性を有する押圧部材１０が固着により設けられているため、粘着層３を皮膚９に粘着させた際に、押圧部材１０が逆方向に反った状態となって、その引張力で基材２を皮膚９に押し付けることができ、袋状部材５の当接部５ｂを止血部位Ｓに一層確実に押圧できると共に、腕を動かした場合や皮膚９が汗等で濡れた場合等であっても、基材２（袋状部材５）の皮膚９からの剥がれを確実に防止するこができる。これにより、例えば人工透析時の止血効果を一層高めることができると共に、例えば止血バンドの使用が不要となったり止血用バンドの使用時間を短くすることができて、透析患者への負担を一層軽減することが可能となる。
【００３０】
また同時に、押圧部材１０の両端部の固着部１０ａが基材２に固着され、中央部分がフリーな状態となっているため、押圧部材１０が基材２の反りにスムーズに連動して、皮膚９を一層確実に押さえ付けることができると共に、絆創膏１の皮膚９に対する粘着操作を従来と同様に行いつつ、絆創膏１の皮膚に対する安定した粘着状態を容易に得ることが可能となる。
【００３１】
さらに、非使用時において、止血部位Ｓに当接する袋状部材５の当接部５ｂ表面が剥離紙８ａ、８ｂによって覆われているため、袋状部材５の表面を清潔に維持することができて、衛生的で安全性に優れた絆創膏１を得ることが可能となる。また、基材２の粘着層３側に袋状部材５を固着することにより対応できるため、例えば従来から存在する絆創膏のガーゼ４の表面に、包装材として使用されるエアクッションの一部を切断して袋状部材５として固着することでも作成できて、構成簡易にして安価な絆創膏１を得ることが可能となる。
【００３２】
図６は、本発明に係わる前記袋状部材５の変形例を示す断面図であり、以下、上記実施形態と同一部位には同一符号を付して説明する。先ず、図６（ａ）に示す袋状部材５は、その内部に空気等の気体ではなく、ゲル状体１２（もしくは液体）を収容させると共に、袋状部材５の固着部５ａの面積を広く形成し、この固着部５ａを前記ガーゼ４を使用することなく、基材２に固着手段１３で直接固着（もしくは粘着層３を利用して固着）した点にある。
【００３３】
この袋状部材５においても、ゲル状体１２によって袋状部材５が押圧方向は勿論のこと半径略３６０度方向等の無方向に弾性変形できて、上記実施形態の袋状部材５と同様の作用効果を得ることができる。この変形例の場合、ゲル状体１２や液体としては、これらが袋状部材５から漏出した場合でも、止血部位Ｓに悪影響を与えない例えば消毒剤（消毒液）等が使用される。
【００３４】
また、図６（ｂ）に示す袋状部材５の特徴は、皮膚９への当接部５ｂの表面にガーゼ１４を固着した点にあり、この袋状部材５によれば、空気６（もしくはゲル状体１２や液体）により上記袋状部材５と同様の作用効果が得られる他に、ガーゼ１４で血液を吸収できて、止血部位Ｓを一層清浄化できる衛生的な絆創膏１を得ることが可能となる。このように、袋状部材５の内部に収容される弾性体としては、針刺孔１１の大きさや止血度合い等に応じて気体、液体、ゲル状体の少なくとも一つを使用すれば良い。
【００３５】
図７及び図８は、本発明に係わる止血用絆創膏の他の実施形態を示す正面図及び粘着状態の説明図である。なお、上記実施形態の同一部位には同一符号を付して説明する。この実施形態の特徴は、前記押圧部材として非伸縮性の薄板１５を使用し、この薄板１５の長手方向両端の固着部１５ａを所定幅で基材２の表面２ａに固定することにより配設した点にある。
【００３６】
すなわち、基材２の表面２ａに裏面２ｂ側のガーゼ４と略同一大きさの、例えば弾性変形可能なケント紙のような薄板１５の両端部を所定幅Ｗの接着剤１６により固定する。この時、薄板１５の弾性力は、絆創膏１の非使用状態において、平坦な平板形状が維持されるように設定される。また、絆創膏１の使用時において、図８に示すように基材２の裏面２ｂ側に変形可能となるように設定され、基材２の粘着層３が皮膚９に粘着した際に、薄板１５の固着部１５ａに作用する矢印ロに示すような反発力により、薄板１５の中央部分（袋状部材５）が矢印ハの如く皮膚９方向に押圧されるようになっている。
【００３７】
なお、この例で使用される非伸縮性の薄板１５としては、ケント紙、コート紙、アート紙、特殊紙等の紙、各種樹脂からなるプラスチック薄板、アルミ箔等の金属箔、あるいはこれらを積層したり合体した弾性を有する各種の薄板が使用できる。また、薄板１５としては弾性を有するものに限らず、変形可能な各種の薄板を使用し、この薄板の変形によって袋状部材５を皮膚方向に押圧するようにしても良い。
【００３８】
この実施形態の絆創膏１においても、袋状部材５の押圧で止血部位Ｓを止血できて、上記実施形態と同様の作用効果が得られる他に、次のような作用効果が得られる。すなわち、基材２の表面２ａ側に非伸縮性の薄板１５が固定され、この薄板１５が非使用時において基材２を略平板状（平坦形状）に維持するため、平坦形状により絆創膏１の製造やその包装が簡単かつ効率的に行えて、例えば絆創膏１を安価に製造することができると共に、使用者における使い勝手（取扱性）の向上を図ることができる。
【００３９】
また、非使用時において薄板１５の弾性力（反発力）を利用して当接部５ｂにガーゼ１４が固着された袋状部材５を止血部位Ｓ方向に押圧することができるため、袋状部材５を止血部位Ｓに良好に押圧でき、特に、薄板１５の長手方向両端の固着部１５ａが幅Ｗで基材２に接着固定されていることから、薄板１５の基材２に追従した変形がスムーズに行え、粘着層３の皮膚９への良好な粘着状態が得られて、絆創膏１の止血効果をより一層高めることができる。さらに、薄板１５として弾性を有する紙、プラスチック、金属箔等を使用することにより、市販されている各種薄板を使用できて、一層安価な絆創膏１を得ることができる。
【００４０】
なお、本発明は、上記した各例のそれぞれに限定されるものではなく、例えば図６（ａ）に示す例と図６（ｂ）に示す例を組み合わせる等、各例を適宜に組み合わせることができる。また、上記実施形態においては、袋状部材５を円形に形成したが、例えば楕円形状や方形状に形成する等、適宜の形状を採用することができるし、袋状部材５の板厚やガーゼ４の有無等も、止血用途に応じて適宜の構成を採用することができる。さらに、上記実施形態においては、袋状部材５と押圧部材１０を共に有する絆創膏１について説明したが、袋状部材５のみを有する絆創膏１とすることも勿論可能である。
【産業上の利用可能性】
【００４１】
本発明は、人工透析時の止血に限らず、採血、点滴、輸血は勿論のこと、傷等の止血にも適用できる。
【図面の簡単な説明】
【００４２】
【図１】本発明に係わる止血用絆創膏の一実施形態の斜視図
【図２】同その正面図
【図３】同その裏面図
【図４】同その平面図
【図５】同粘着状態の説明図
【図６】同袋状部材の変形例を示す断面図
【図７】本発明に係わる止血用絆創膏の他の実施形態の図２同様の正面図
【図８】同その粘着状態の説明図
【符号の説明】
【００４３】
１・・・止血用絆創膏、２・・・基材、２ａ・・・表面、２ｂ・・・裏面、３・・・粘着層、４・・・ガーゼ、５・・・袋状部材、５ａ・・・固着部、５ｂ・・・当接部、６・・・空気（弾性体）、７・・・固着手段、８ａ、８ｂ・・・剥離紙、９・・・皮膚、１０・・・押圧部材、１０ａ・・・固着部、１１・・・針刺孔、１２・・・ゲル状体（弾性体）、１３・・・固着手段、１４・・・ガーゼ、１５・・・薄板、１５ａ・・・固着部、１６・・・接着剤、Ｓ・・・止血部位。
【図１】
2005246027.tif 000003
【図２】
2005246027.tif 000004
【図３】
2005246027.tif 000005
【図４】
2005246027.tif 000006
【図５】
2005246027.tif 000007
【図６】
2005246027.tif 000008
【図７】
2005246027.tif 000009
【図８】
2005246027.tif 000010